(57)【要約】【課題】顧客の配色イメージを容易にして、円滑な配色提案を行うことができる配色提案方法を提供する。【解決手段】複数の色彩の組み合わせからなる配色を提案する方法であって、配色に用いる各色彩が属する複数のグループを基調色、補助色及び強調色とし、基調色、補助色及び強調色においてそれぞれ使用する色彩を１又は複数選択し、前記各色彩の明度と彩度の関係を座標平面４上にプロットしたカラーチャート１を顧客に提示するステップを備え、座標平面４上の各プロットマーク５が、基調色、補助色及び強調色のいずれに属するかを識別可能に表示されていることを特徴とする配色提案方法である。【選択図】図１
2008083443.tif 000002
【特許請求の範囲】
【請求項１】
複数の色彩の組み合わせからなる配色を提案する方法であって、
配色に用いる各色彩が属する複数のグループを決定し、前記各グループにおいてそれぞれ使用する色彩を１又は複数選択し、前記各色彩の明度と彩度の関係を座標平面上にプロットしたものを顧客に提示するステップを備え、
前記座標平面上の各プロットマークが、前記各グループのいずれに属するかを識別可能に表示されていることを特徴とする配色提案方法。
【請求項２】
前記各プロットマークに対応する色彩と、該色彩の明度及び彩度の値とを、別途用意した色見本表示媒体に表示した色見本により提示するステップを更に備える請求項１に記載の配色提案方法。
【請求項３】
前記各プロットマークは、対応する色彩により着色されており、前記各グループのいずれに属するかを形状により識別可能とされている請求項１に記載の配色提案方法。
【発明の詳細な説明】
【技術分野】
【０００１】
本発明は、複数の色彩の組み合わせからなる配色を提案する配色提案方法に関する。
【背景技術】
【０００２】
個人住宅、ビルディング、工場等の建築物や、橋梁、タンク等の構造物の色彩は、周囲の環境に大きな影響を及ぼすことが指摘されている。そこで、これらの建築物や構造物の色彩と、周囲の環境の色彩とを調和させる必要があるが、一般的には、建築物や構造物の色彩は、所有者や管理者の裁量で決定されている場合が多く、周囲の環境の色彩と十分に調和しない場合が多くなっている。
【０００３】
また、平成１６年に景観法が施行された結果、建築物や構造物の立地条件、役割、目的等に応じて、法律で定められた色彩の範囲内で相応しい色彩を決定する必要が生じ、そのために色彩計画が益々重要になってきている。
【０００４】
色彩設計とは、例えば建築物の場合、建築物の役割、外観等に基づいたコンセプトに応じて、建築物の色彩案を提示することを意味する。このような提案方法としては、例えば、特許文献１に開示された塗装色選択色見本表を用いた提案方法が知られている。図４に示すように、この塗装色選択色見本表１０１は、縦軸をトーンの軸とし、横軸を色相の軸として、複数の色彩の色見本１０２がマトリックス状に配置されている。
【特許文献１】特開２０００−３５７６２号公報
【発明の開示】
【発明が解決しようとする課題】
【０００５】
色彩提案において最も重要となるのは、各部位に付された各色彩間の色彩調和である。色彩設計の結果を評価する場合に、１色を評価することはごくまれであり、通常は、視覚的特徴が異なる複数の色彩の組み合わせによる配色を評価する。この場合、複数の色彩を同じカラーチャート内に表示し、かつ、各色彩が建築物等の外観においてどのようなグループに属するかを提示する必要がある。これらの２つの目的を同時に満たすために、複数の色彩を各色彩の属性により分類整理し、かつ、各色彩が属するグループを同じカラーチャート内に提示する必要がある。
【０００６】
しかし、上記塗装色選択色見本表１０１を用いた提案方法では、各色彩のトーンと色相の関係しか提示することができず、各色彩が属するグループを同時に提示することができないという問題があった。
【０００７】
本発明は、上記問題を解決するためになされたものであって、顧客の配色イメージを容易にして、円滑な配色提案を行うことができる配色提案方法の提供を目的とする。
【課題を解決するための手段】
【０００８】
本発明の前記目的は、複数の色彩の組み合わせからなる配色を提案する方法であって、配色に用いる各色彩が属する複数のグループを決定し、前記各グループにおいてそれぞれ使用する色彩を１又は複数選択し、前記各色彩の明度と彩度の関係を座標平面上にプロットしたものを顧客に提示するステップを備え、前記座標平面上の各プロットマークが、前記各グループのいずれに属するかを識別可能に表示されていることを特徴とする配色提案方法により達成される。
【０００９】
また、上記配色提案方法は、前記各プロットマークに対応する色彩と、該色彩の明度及び彩度の値とを、別途用意した色見本表示媒体に表示した色見本により提示するステップを更に備えることが好ましい。
【００１０】
また、前記各プロットマークは、対応する色彩により着色されており、前記各グループのいずれに属するかを形状により識別可能とされていることが好ましい。
【発明の効果】
【００１１】
本発明の配色提案方法によれば、顧客の配色イメージを容易にして、円滑な配色提案を行うことができる。
【発明を実施するための最良の形態】
【００１２】
以下、本発明の実態形態について添付図面を参照して説明する。まず、本発明の一実施形態に係る配色提案方法に用いるカラーチャートについて説明する。図１は、本発明の一実施形態に係る配色提案方法に用いるカラーチャートの座標平面を示す図であり、図２は、このカラーチャートの色見本表示媒体を示す図である。
【００１３】
図１に示すように、カラーチャート１は、紙面に表示されており、一方の軸を明度軸２とし、他方の軸を彩度軸３とする直交座標平面４上に、複数の色彩にそれぞれ対応する複数のプロットマーク５が表示されている。
【００１４】
明度軸２及び彩度軸３の変数は、それぞれ、マンセル表色系における明度及び彩度の値である。明度は、色の明るさを示す公知の心理物理量であり、値が大きいほど明るい色であることを示す量である。マンセル表色系では、明度は、光を１００％反射する理想的な白を１０、光を１００％吸収する理想的な黒を０として、１０段階に分けられる。また、彩度は、色の鮮やかさを示す公知の心理物理量であり、値が大きいほど鮮やかな色であることを示す量である。マンセル表色系では、彩度は無彩色では０であり、例えば、赤の代表色の５Ｒでは、明度が５のときに彩度が１４であり、黄色の代表色の５Ｙでは、明度が８のときに彩度が１４であり、青の代表色の５Ｂでは、明度が５ときに彩度が８である。また、明度及び彩度の組み合わせにより色彩のトーン（色調）が決定される。
【００１５】
各プロットマーク５は、座標平面４上において、対応する各色彩の明度及び彩度を成分とする座標にプロットされており、かつ、対応する各色彩が属するグループに分類されている。本実施形態では、プロットマーク５は、基調色、補助色及び強調色の各グループのいずれに属するかを色により識別可能とされており、これによって、各グループに対応する基調色プロットマーク５ａ、補助色プロットマーク５ｂ、及び、強調色プロットマーク５ｃに分類されている。
【００１６】
ここで、基調色（ベースカラー）とは、大面積に適用され、背景としての役割を担う色彩を意味する。また、補助色（アソートカラー）とは、基調色と組み合わされて全体の印象を表現する色彩を意味する。また、強調色（アクセントカラー）とは、全体の調子や雰囲気に変化をもたらす色彩を意味しており、基調色や補助色に対して小面積に適用される。
【００１７】
本実施形態では、基調色プロットマーク５ａは、基調色のグループを表す青色が付させることにより、対応する色彩が基調色のグループに属することを示すように構成されている。また、補助色プロットマーク５ｂ及び強調色プロットマーク５ｃも同様に、それぞれ、補助色及び強調色のグループを表す赤色及び黄色付させることにより、対応する色彩が補助色及び強調色のグループに属することを示すように構成されている。
【００１８】
各プロットマーク５は、座標平面４上に着色することにより構成されていてもよく、また、予め着色されたカラーチップなどを貼着することにより構成されていてもよい。
【００１９】
また、カラーチャート１は、図２に示すように、複数の色彩の色見本６が表示された色見本表示媒体９を、直交座標平面４とは別に備えている。色見本表示媒体９は、基調色、補助色及び強調色の各グループに対応して区分された基調色欄９ａ、補助色欄９ｂ及び強調色欄９ｃを備えている。色見本６は、各色彩が属するグループに対応して、基調色見本６ａ、補助色見本６ｂ及び強調色見本６ｃに分類されており、各色見本６ａ、６ｂ、６ｃは、それぞれ、基調色欄９ａ、補助色欄９ｂ及び強調色欄９ｃに表示されている。また、各色見本６には、それぞれ、表示された色彩の明度、彩度及び色相の値（マンセル値）が示されている。
【００２０】
各色見本６は、色見本表示媒体９上に着色することにより構成されていてもよく、また、予め着色されたカラーチップなどを貼着することにより構成されていてもよい。
【００２１】
色見本表示媒体９上の各色見本６は、座標平面４上の各プロットマーク５と１対１で対応しており、各色見本６に表示されたマンセル値及び各色見本６が属するグループから各プロットマーク５を特定することができる。すなわち、各色見本６のマンセル値における明度及び彩度の値からプロットマーク５の座標を特定し、各色見本６が属するグループからプロットマーク５に表されたグループを特定することにより、各色見本６に対応する各プロットマーク５を特定することができる。反対に、座標平面４上の各プロットマーク５から、色見本表示媒体９上の対応する各色見本６を特定することもできる。
【００２２】
次に、以上のような構成を備えるカラーチャート１を用いて、複数の色彩の組み合わせからなる配色を提案する方法を説明する。本実施形態では、複合新都市建設ゾーンにおける配色を例として、配色提案方法を説明する。
【００２３】
まず、配色に用いる色彩が属する複数のグループを決定する。本実施形態では、複合新都市建設ゾーン全体の配色において広い部分を占める基調色のグループ、基調色の次に広い部分を占める補助色のグループ、及び、狭い部分を占める強調色のグループに分類する。
【００２４】
次に、各グループにおいてそれぞれ使用する色彩を選択する。本実施形態における複合新都市建設ゾーンでは、基調色としては、例えば、人々が生活する場として、明るく優しく落ち着いた雰囲気を感じられる低彩度（彩度２まで）で中明度〜高明度（明度７〜８．５）の色彩を選択することが好ましい。また、補助色としては、例えば、基調色と類似したトーン（明度５．５〜７、彩度４まで）で構成し、穏やかでナチュラルなイメージを感じさせる色彩を選択することが好ましい。また、強調色としては、例えば、あまり明度を高くせずに（明度５〜７）、落ち着いた色あいの色彩（彩度６まで）を選択することが好ましい。これらを考慮して、本実施形態では、基調色に使用する色彩として、１０色選択し、補助色に使用する色彩として、５色選択し、強調色に使用する色彩として、５色選択している。
【００２５】
続いて、選択した各色彩の明度及び彩度に基づいて座標平面４上の座標を特定し、特定された座標に各プロットマーク５をプロットする。また、座標平面４に配置された各プロットマーク５に、対応する色彩が属するグループを示す色を付す。本実施形態では、例えば、基調色に使用する１０ＹＲ８／１の色彩の場合、（明度、彩度）＝（８、１）の座標にプロットマーク５を配置し、このプロットマーク５に基調色のグループを示す青色を付す。
【００２６】
その後、選択した各色彩を、色彩が属するグループごとに分類し、分類した色彩を基調色見本６ａ、補助色見本６ｂ及び強調色見本６ｃにより、基調色欄９ａ、補助色欄９ｂ及び強調色欄９ｃにそれぞれ表示する。また、各色見本６に各色彩のマンセル値を表示する。本実施形態では、例えば、基調色に使用する１０ＹＲ８／１の色彩を、基調色見本６ａにより基調色欄９ａに表示する。また、色彩のマンセル値（１０ＹＲ８／１）を基調色見本６ａに表示する。
【００２７】
そして、プロットマーク５をプロットした座標平面４と、色見本６を表示した色見本表示媒体９とを備えるカラーチャート１を顧客に提示する。
【００２８】
本実施形態に係る配色提案方法によれば、配色に用いる各色彩が属する複数のグループを基調色、補助色及び強調色とし、基調色、補助色及び強調色においてそれぞれ使用する色彩を１又は複数選択し、前記各色彩の明度と彩度の関係を座標平面４上にプロットしたカラーチャート１を顧客に提示するステップを備え、座標平面４上の各プロットマーク５が、基調色、補助色及び強調色のいずれに属するかを識別可能に表示されているので、配色に用いる複数の色彩が属するグループと、各色彩のトーンとの関係を、同じカラーチャート１上で判りやすく示すことができる。したがって、顧客の配色イメージを容易にして、円滑な配色提案を行うことができる。
【００２９】
また、プロットマーク５に対応する色彩と、該色彩の明度及び彩度の値とを、別途用意した色見本表示媒体９に表示した色見本６により提示することができるので、基調色、補助色及び強調色による配色からなるデザインのインパクトの強さを、各色見本６によって視覚的な印象で提示すことができると共に、各プロットマーク５によってトーンの数値的な距離の違いで示すことができる。
【００３０】
以上、本発明の一実施形態について説明したが、本発明の具体的な態様は上記実施形態に限定されるものではない。
【００３１】
例えば、本実施形態では、各プロットマーク５に各グループを示す色を付していたが、各プロットマーク５が各グループのいずれに属するかを識別可能であれば、その構成は特に限定されず、各プロットマーク５の形状により識別可能な構成であってもよい。図３は、他の実施形態に係る配色提案方法に用いるカラーチャートの座標平面を示す図である。図３において、図１と同一の構成については、同一の符号を付して、その説明を省略する。基調色プロットマーク５ａは、基調色に対応する８角形の外形を有している。これにより、基調色プロットマーク５ａが基調色のグループに属することを示すように構成されている。また、補助色プロットマーク５ｂ及び強調色プロットマーク５ｃも同様に、それぞれ補助色及び強調色に対応する５角形及び十字形の外形を有している。これにより、補助色プロットマーク５ｂ及び強調色プロットマーク５ｃが、それぞれ補助色及び強調色のグループに属することを示すように構成されている。各プロットマーク５が有する形状は、いずれのグループであるかを区別することができれば、特に限定されない。また、各プロットマーク５には、対応する色彩が付されている。また、色見本表示媒体９は省略してもよい。
【００３２】
このような構成を備えるカラーチャート１によれば、プロットマーク５が配置された座標平面４のみで、基調色、補助色及び強調色による配色からなるデザインのインパクトの強さを、視覚的な印象で提示することができると共に、トーンの数値的な距離の違いで示すことができる。
【００３３】
また、本実施形態では、色彩が属するグループは、基調色、補助色及び強調色であったが、これらに限定されるものではない。色彩が属するグループとしては、例えば、ファッション界におけるディレクションカラー、ファーキャストカラー、プロモーションカラーや、工業製品におけるベーシックカラー、アセンディングカラー、キャラクターカラーなどが挙げられる。
【００３４】
また、本実施形態では、明度、彩度及び色相は、マンセル表色系における値を用いていたが、ＰＣＣＳ（日本色研配色体系：Ｐｒａｃｔｉｃａｌ  Ｃｏｌｏｒ  ＣＯ−ｏｒｄｉｎａｔｅ  Ｓｙｓｔｅｍ）における値や、日本塗料工業会発行の塗料用標準色見本帳における値など、公知の表色系における値を用いてもよい。また、建設会社等が独自に設定した色番号や色名を用いてもよい。また、色見本６には、各種表色系における値を並列して表示してもよい。
【００３５】
また、本実施形態では、カラーチャート１は、紙面に表示されたものであったが、表示方法は特に限定されず、ディスプレイに表示されたものや、スクリーンに投影されたものであってもよい。
【００３６】
また、座標平面４には、明度及び彩度に応じて、ＪＩＳ  Ｚ  ８１０２：物体色の色名、系統色名において定められた有彩色の明度及び彩度に関する修飾語を表示してもよい。
【００３７】
また、本実施形態では、配色提案は、複合新都市建設ゾーンにおける配色に関するものであったが、配色提案の対象は特に限定されず、その他の配色提案としては、例えば、室内の配色に関するもの、山間部に建設する構造物に関するもの、ファッションや工業製品におけるものなどが挙げられる。また、１つのカラーチャート１を用いて、複数の対象に関する配色提案を行ってもよい。例えば、建築物に関する配色提案と、モニュメントに関する配色提案とを１つのカラーチャート１を用いて併せて行うことにより、建築物及びモニュメントに用いる色彩の関係を提示することができる。
【図面の簡単な説明】
【００３８】
【図１】本発明の一実施形態に係るカラーチャートの座標平面を示す図である。
【図２】カラーチャートの色見本表示媒体を示す図である。
【図３】他の実施形態に係るカラーチャートの座標平面を示す図である。
【図４】従来の塗装色選択色見本表を示す図である。
【符号の説明】
【００３９】
１  カラーチャート
２  明度軸
３  彩度軸
４  座標平面
５  プロットマーク
６  色見本
９  色見本表示媒体
【図４】
2008083443.tif 000003
【図１】
2008083443.tif 000004
【図２】
2008083443.tif 000005
【図３】
2008083443.tif 000006